(57)【要約】【課題】撮影された画像を編集する際に複数の編集装置を用意して利用者の編集作業をより長く確保するとともに、これらの編集装置を交互に振り分けて編集を行ない編集装置間の負担の均衡化を図る。【解決手段】カメラと撮影した被写体像を表示するディスプレイを有する撮影部と、被写体像に対して編集処理を行う編集部と、を備えて被写体像を編集する方法において、編集処理と表示を行うタッチパネル付きディスプレイと、タッチペンと、を有する第１と第２の編集部を備え、撮影部で被写体を撮影するステップと、撮影した被写体像を編集処理する編集部を選択するに際して、第１の編集部が直前に使用されたか否かを判断するステップ（Ｓ９０４）と、判断の結果、使用されていれば第２の編集部を選択し（Ｓ９０６）、使用されていなければ第１の編集部を選択する（Ｓ９０５）ステップと、からなる。【選択図】図９
2006222855.tif 000002
【特許請求の範囲】
【請求項１】
被写体を撮影するカメラ、撮影した被写体像を表示するディスプレイを有する撮影部と、前記撮影部と通路を隔てて配置され前記被写体像に対して落書きを含む編集処理を行う編集部と、前記編集処理した被写体像を印刷する印刷部と、前記撮影部、前記編集部、前記印刷部を制御する制御部と、を備えた画像プリント装置であって、
前記編集部は、前記被写体像に対する編集処理の処理状況、編集処理の操作画面、各種ガイダンスなどを表示するタッチパネル付きディスプレイと、前記タッチパネルを操作するタッチペンと、を有し、
前記タッチパネル付きディスプレイと前記タッチペンを有する編集部を複数個備え、
前記制御部は、前記複数個の編集部の中の１つの編集部を順次に選択する
ことを特徴とする画像プリント装置。
【請求項２】
請求項１において、
前記複数の編集部が２個の場合に、前記編集部は交互に選択されることを特徴とする画像プリント装置。
【請求項３】
請求項１又は２において、
前記画像プリント装置の管理者による設定操作によって使用可能な編集部の数を調整可能とすることを特徴とする画像プリント装置。
【請求項４】
被写体を撮影するカメラ、撮影した被写体像を表示するディスプレイを有する撮影部と、前記撮影部と通路を隔てて配置され前記被写体像に対して落書きを含む編集処理を行う編集部と、前記編集処理した被写体像を印刷する印刷部と、前記撮影部、前記編集部、前記印刷部を制御する制御部と、を備えた画像プリント装置における撮影した被写体像の編集方法において、
前記被写体像に対する編集処理の処理状況、編集処理の操作画面、各種ガイダンスなどを表示するタッチパネル付きディスプレイと、前記タッチパネルを操作するタッチペンと、を有する編集部を複数個備え、
前記撮影部で被写体を撮影するステップと、
前記撮影した被写体像を編集処理する編集部を順次に選択して使用するステップと、からなる
ことを特徴とする被写体像の編集方法。
【請求項５】
被写体を撮影するカメラ、撮影した被写体像を表示するディスプレイを有する撮影部と、前記撮影部と通路を隔てて配置され前記被写体像に対して落書きを含む編集処理を行う編集部と、前記編集処理した被写体像を印刷する印刷部と、前記撮影部、前記編集部、前記印刷部を制御する制御部と、を備えた画像プリント装置における撮影した被写体像の編集方法において、
前記被写体像に対する編集処理と表示を行うタッチパネル付きディスプレイと、前記タッチパネルを操作するタッチペンと、を有する第１と第２の編集部を備え、
前記撮影部で被写体を撮影するステップと、
前記撮影した被写体像を編集処理する編集部を選択するに際して、前記第１の編集部が直前に使用されたか否かを判断するステップと、
前記判断の結果、使用されていれば前記第２の編集部を選択し、使用されていなければ前記第１の編集部を選択するステップと、からなる
ことを特徴とする被写体像の編集方法。
【発明の詳細な説明】
【技術分野】
【０００１】
本発明は、遊技場や遊園地などのアミューズメント施設などで利用者の全身又は上半身を画像撮影するのに最適で、かつ簡易な構成で解像度の高い画像を得る画像合成装置に関するものである。
【背景技術】
【０００２】
従来、画像プリント作成装置又は写真シール自販機と呼ばれるアミューズメント装置は利用者である被写体をデジタルカメラで撮影し、その撮影画像と利用者が予め選択していた背景（フレーム）画像とを合成した画像をシール紙に印刷する画像プリント装置が知られている。
【０００３】
このような画像プリント装置では、利用者が自分もしくは自分を含めた複数の利用者の写真の撮影を行い、さらに撮影された画像に対して落書きを行うための表示装置の表示画面上に撮影した画像を表示し、さらに落書き用に用いるの複数のキャラクタ画像やスタンプ画像、ペン入力用の線図形や、円図形などを表示させ、この中から任意の落書き用に用いるための、画像を利用者に選択させ、その選択した落書き用画像を表示画面の任意の位置に配置させることにより、被写体像に落書き用画像が合成された写真シールを出力するように構成されている。
【０００４】
また、従来の画像プリント装置として、被写体を撮影する撮影装置の他に、落書き等を含む編集処理を行う編集装置を２個設け、それぞれの編集装置が独立に並行に編集処理を行うことで、ユーザの利用回転率を向上させ、順番待ちの時間を短縮する技術が提案されている（例えば、特許文献１を参照）。
【特許文献１】特開２００３−３２５８６号公報
【発明の開示】
【発明が解決しようとする課題】
【０００５】
上記の特許文献１に記載された画像プリント装置は撮影の終了後に、まず、第１の編集装置で編集が可能か否かが判断され、可能であれば第１の編集装置で編集を行い、否であれば次に第２の編集装置での編集が可能か否かが判断されるような制御方式となっている。すなわち、第１の編集装置が常に第２の編集装置よりも優先して使用されるようになっており、第１の編集装置で編集作業が終了する場合もあり得るので、第１の編集装置の負担が第２の編集装置よりも常に大きく掛かることとなる。第１と第２の編集装置で使用頻度が異なってくる状況が発生する。
【０００６】
本発明の目的は、撮影された画像を編集する際に複数の編集装置を用意して利用者の編集作業をより長く確保するとともに、これらの編集装置を交互に振り分けて編集を行い、編集装置間の負担の均衡化を図る画像プリント装置を提供することにある。
【課題を解決するための手段】
【０００７】
前記課題を解決するために、本発明は主として次のような構成を採用する。  
被写体を撮影するカメラ、撮影した被写体像を表示するディスプレイを有する撮影部と、前記撮影部と通路を隔てて配置され前記被写体像に対して落書きを含む編集処理を行う編集部と、前記編集処理した被写体像を印刷する印刷部と、前記撮影部、前記編集部、前記印刷部を制御する制御部と、を備えた画像プリント装置であって、
前記編集部は、前記被写体像に対する編集処理の処理状況、編集処理の操作画面、各種ガイダンスなどを表示するタッチパネル付きディスプレイと、前記タッチパネルを操作するタッチペンと、を有し、
前記タッチパネル付きディスプレイと前記タッチペンを有する編集部を複数個備え、
前記制御部は、前記複数個の編集部の中の１つの編集部を順次に選択する構成とする。
【０００８】
また、前記画像プリント装置において、前記複数の編集部が２個の場合に、前記編集部は交互に選択される構成とする。
【発明の効果】
【０００９】
複数の編集装置を設けることによって、単一の編集装置の場合に比べて、長い落書きを含む編集時間を確保することができ、また、複数の編集装置を交互に選択して使用する制御によって編集装置間の使用頻度の均衡が図れて装置負担が均等となり保守管理がし易くなる。
【発明を実施するための最良の形態】
【００１０】
本発明の実施形態に係る画像プリント装置について、図１〜図９を参照しながら以下詳細に説明する。
【００１１】
図１は本発明の実施形態に係る画像プリント装置の基本的構成を示す見取図である。
【００１２】
図２は本発明の実施形態に係る画像プリント装置の基本的構成を示す内部の側面図である。
【００１３】
図３は本発明の実施形態に係る画像プリント装置の基本的構成を示す内部の上面図である。
【００１４】
各図面で示される、１は本体部筐体、２，６は編集部筐体、３は床面、４は背面部筐体、５は通路、７は写真シール排出口、８は屋根部、９Ａ，９Ｂ，１０Ａ，１０Ｂは通路、１１Ａ，１１Ｂ，１１Ｃはストロボ、をそれぞれ表す。
【００１５】
図１に示すように本実施形態に係る画像プリント装置は、その両側部は開口し、利用者がいずれの方向からも出入りできる構造となっており、遮光性素材を用いたカーテンで仕切られている。
【００１６】
本実施形態に係る画像プリント装置は本体部筐体１と、編集部筐体２，６と、背面部筐体４と、床板３と、屋根部８とから構成され、本体部筐体１と背面部筐体４とは床板３および屋根部８の結合部材によって所定間隔の距離を隔てて結合されている。
【００１７】
背面部筐体４と編集部筐体２，６は背中合わせに結合されている。本体部筐体１と背面部筐体４との間の空間は、複数もしくは単体の被写体が本体部筐体１に入室可能となる通路５となるものである。
【００１８】
また、背面部筐体４の中央部は開口しており、通路９Ａまたは通路９Ｂを通って画像プリント装置の後部へ移動可能となっている。利用者は撮影後、編集部筐体６を使用する場合は通路９Ａを通り、編集部筐体６へ移動する。同様に、編集部筐体２を使用する場合は通路９Ｂを通り、編集部筐体２へ移動する。編集後、それぞれ通路１０Ａ、通路１０Ｂを通って、編集部筐体２の側面にある写真シール排出口７へ移動できる。
【００１９】
各図で示される画像プリント装置内には撮影対象の被写体を収容可能な空間を有する撮影室を有している。該撮影室には入室した被写体の背面側から照明光を照射する背面照明装置が設けられても構わない。
【００２０】
次に、図４は本発明の実施形態に係る画像プリント装置における本体部筐体の構成を示す見取図である。
【００２１】
図５は本実施形態に係る画像プリント装置における本体部筐体の具体的構成を示す正面図である。
【００２２】
図６は本実施形態に係る画像プリント装置における編集部筐体の具体的構成を示す正面図である。
【００２３】
各図面において、１３はスイッチパネル、１４，２４Ａ，２４Ｂはキャスター、１５は液晶モニタ、１６はタッチペン、１７，２６Ａ，２６Ｂはスピーカ、１８はデジタルカメラ、１９，２７Ａ，２７Ｂはタッチパネル付きディスプレイ、２０は課金装置、２１はストロボ用電源、２２はプリンタ、２３はＵＰＳ（無停電電源装置）、２５Ａ，２５Ｂはライト、２８Ａ，２８Ｂはタッチペン、２９はパーソナルコンピュータ、をそれぞれ表す。
【００２４】
図４と図５において、本体部筐体1の正面ほぼ中央には被写体を撮影するデジタルカメラ１８が設置されている。また、本体部筐体１の上部および左右にはストロボ１１Ａ〜１１Ｃが設置されている。このストロボ１１Ａ〜１１Ｃはデジタルカメラ１８で被写体を撮影するときのみ発光し、その光の強さにより撮影する画像の明るさを調整可能になっている。
【００２５】
また、上方および左右には、常時点灯し、操作中の利用者の周囲を照らすライト１２Ａ〜１２Ｃが設置されている。また、デジタルカメラ１８の下方には、被写体を撮影するときに、実際に写っている画像を確認するための液晶モニタ１５が設置されている。利用者は撮影のときに液晶モニタ１５に表示される自分の像を見ながら、立つ位置やポーズ、顔の位置などを調整、確認する。
【００２６】
本体部筐体１の胴部付近には、撮影の操作画面や進行状況、ガイダンスなどを表示するタッチパネル付きディスプレイ１９が設けられている。利用者が入力装置を構成するタッチペン１６でタッチパネル面のアイコンなどをタッチすると、タッチパネル付きディスプレイ１９はその位置を検出し、接触位置に表示したアイコンに割り当てられた機能または動作を開始する。この他に、スピーカ１７、課金装置２０、さらに本体部筐体１の内部にスイッチパネル１３、ストロボ用電源２１が設けられている。
【００２７】
図６において編集部筐体２，６には落書きの操作画面や進行状況やガイダンスなどを表示するタッチパネル付きディスプレイ２７Ａ，２７Ｂと、タッチペン２８Ａ，２８Ｂと、周囲を照らすライト２５Ａ，２５Ｂと、スピーカ２６Ａ，２６Ｂと、キャスター２４Ａ，２４Ｂとが設けられている。さらに、編集部筐体２の内部にパーソナルコンピュータ２９と、プリンタ２２と、ＵＰＳ（無停電電源装置）２３とが設けられている。
【００２８】
スピーカ１７および２６Ａ，２６Ｂは操作中の音楽やガイダンスの音声を出力する。課金装置２０は利用料金の投入を受け付けて収納する。無料設定時を考慮し、取り外し可能なものとなっている。ストロボ用電源２１はストロボ１１Ａ〜１１Ｃに対して利用者が選択した明るさに応じた電力を供給する。
【００２９】
パーソナルコンピュータ２９（以下、ＰＣと記す）は、撮影制御、撮影画像を加工または編集し利用者に落書き機能を提供する画像編集処理、印刷制御としての機能を有する。プリンタ２２は画像を所定の用紙に印刷して出力する。ＵＰＳ２３は停電時にも電源供給をする無停電電源装置である。キャスター１４および２４Ａ，２４Ｂは本体部筐体１の移動時に使用し、位置決定後はロックする。スイッチパネル１３はテスト用のスイッチやボリュームスイッチを固定したパネルである。  
次に、図７は本発明の実施形態に係る画像プリント装置の機能乃至動作を示す構成ブロック図である。
【００３０】
図７において本実施形態に係る画像プリント装置は、全体の制御を行うパーソナルコンピュータ（ＰＣ）２９を備え、このＰＣ２９は、ＣＰＵ（中央処理装置）２０１、メモリ２０２、Ｉ／Ｏ制御部２０３、音声出力部２０４、データ記憶部２０５、画像処理部２０６、画像出力部２０７から構成されている。これらの構成要素は図示されたようにＣＰＵ２０１にそれぞれ接続されている。Ｉ／Ｏ制御部２０３は、デジタルカメラＩ／Ｆ（インタフェース）２０８、タッチパネル１９、タッチパネル２７Ａ，２７Ｂ、課金装置２０、ストロボ用電源２１に接続され、これらの構成要素の制御を行う。
【００３１】
ＣＰＵ２０１は、デジタルカメラＩ／Ｆ（インタフェース）２０８からの圧縮ディジタル信号を受信し、被撮影者の全身画像の輪郭を抽出し、その撮影された全身画像の歪み補正を行い、利用者が画像編集を行なった後に、プリンタ２２ヘプリント出力処理を行なう。メモリ２０２には、カメラ１８から取り込んだ画像データが記憶されるほか、ＣＰＵ２０１に発する命令と画像プリント装置の制御手順となる命令群がプログラムとして記憶されている。また、ＣＰＵ２０１の処理データもワークデータとして一時的に記憶する。
【００３２】
音声出力部２０４は音声再生用のスピーカ１７および２６Ａ，２６Ｂに接続し、利用者に対してガイドや音楽、効果音などを再生する。データ記憶部２０５には、被写体の画像と重ね合せる合成画像データ、タッチパネル用ディスプレイ１９および２７Ａ，２７Ｂに表示する操作メニューのガイドが記憶されている。
【００３３】
画像処理部２０６は、メモリ２０２に記憶させた被写体の画像データとデータ記憶部２０５にある合成画像を合成・編集するための処理が記憶されている。また、画像出力部２０７は、タッチパネル付きディスプレイ１９および２７Ａ，２７Ｂ、プリンタ２２に接続されている。タッチパネル付きディスプレイ１９および２７Ａ，２７Ｂは利用者に対する説明や操作のための画面を表示する。プリンタ２２は撮影・編集した画像を葉書もしくはシールに印刷する。
【００３４】
Ｉ／Ｏ制御部２０３は、デジタルカメラＩ／Ｆ（インタフェース）２０８に接続し、カメラ１８で撮影した画像データを受け付ける。また、Ｉ／Ｏ制御部２０３はタッチパネル１９および２７Ａ，２７Ｂからの操作データを受け付ける。タッチパネル１９および２７Ａ，２７Ｂは、それぞれタッチパネル付きディスプレイ１９および２７Ａ，２７Ｂの表示画面表面に設けられた液晶パネルであり、表示画面に操作メニューなどを表示し、種々の選択条件を押圧操作によって入力するために使用するものである。
【００３５】
Ｉ／Ｏ制御部２０３は課金装置２０に接続され、コインの投入の有無や、不正コインの投入などをＣＰＵ２０１からの制御に従って検知する。投入されたコインの形状と重さを計測し、真正コインではないコインに対し、さらにコインの表裏の模様を判定し、投入されたコインが真正コインか、不正コインや偽造コインであるかどうかを判別する。Ｉ／Ｏ制御部２０３はストロボ用電源２１を制御し、ストロボ１１Ａ〜Ｃに対して電圧を加え、発光面全体を一様に発光させる。
【００３６】
次に、図８は本発明の実施形態に係る画像プリント装置における撮影、撮影画像の編集、印刷の処理手順を示すフローチャートである。まず、本実施形態に係る画像プリント装置の管理側の設定として、電源を投入し、この電源投入で機器動作確認として蛍光灯照明機器の点滅確認、ＰＣの起動確認が行われ、カメラ撮影準備としてシャッタースピード、絞りの設定が行われ、さらにプリンタの印刷準備、ウオームアップが開始される。
【００３７】
ステップ８０１での初期設定が終わると、顧客操作を受け入れるためのデモが開始され、画像プリント装置の紹介、操作手順のデモが行われる（ステップ８０２）。実際に利用者が本体部筐体１の撮影装置を使い、撮影を開始するために規定枚数のコインが投入されると、撮影を行うための処理手順が画面上に表示される。なお、１枚目のコインが投入されると、撮影用のカメラが起動し、利用者を撮影する動画が表示される。
【００３８】
ステップ８０３で利用者は撮影の際の明るさを選択する。その際に利用者はタッチパネル１９に対してタッチペン１６でタッチすることで選択を行う。このとき、利用者の選択に応じた明るさはストロボ用電源２１に設定される。その後、ステップ８０４で撮影が開始され、このときに利用者が選択した明るさでストロボ１１が発光する。撮影後は撮影した画像をＰＣ２９内のデータ記憶部２０５に保存する(ステップ８０５)。算出した撮影時間が終了、または画像プリント装置管理者によって既定された枚数以上撮影が行なわれた（ステップ８０６）場合は、ステップ８０７における編集部筐体の選択へ移り、それ以外は再びステップ８０４の撮影に戻る。
【００３９】
次に図９は本発明の実施形態に係る画像プリント装置における編集部筐体の選択に関する詳細な処理手順を示すフローチャートである。すなわち、図９は図８に示すステップ８０７の詳細フローである。
【００４０】
編集部筐体２又は６の選択を行い、撮影開始から終了までにかかった撮影時間の算出処理を開始する（ステップ９０１）。まず、画像プリント装置の管理者によって設定されている編集部筐体の台数をチェックし（ステップ９０２）、設定台数が１台の場合は設定されている編集部筐体を利用先に選択する（ステップ９０３）。
【００４１】
設定台数が２台のときは１組前（当該利用者の以前）に利用者があり、第１の編集部筐体（２又は６）を使用したかチェックし（ステップ９０４）、使用していた場合は第２の編集部筐体（６又は２）を利用先に選択し（ステップ９０６）、それ以外の場合は第１の編集部筐体を利用先に選択する。編集に使用する編集部筐体を決定する（ステップ９０７）。
【００４２】
ステップ９０１で算出された撮影時間は、実撮影時間として予め、規定されている時間と比較し、撮影時間が規定時間より短い時間で終了した場合には撮影時間として規定されている時間と算出した撮影に要した時間の差をそれぞれ誘導された編集部筐体での落書き時間に追加することとしても良い。
【００４３】
また、指定された編集部筐体がいずれも利用できない場合には撮影筐体内で待機するメッセージを表示し、待機している間に再度撮影を行っても良い。
【００４４】
編集部筐体が利用できるかできないかの確認はステップ９０４で第1の編集部筐体の使用チェック及び、第２の編集部筐体での使用チェック結果を受けて判断する。この判断結果を受けて待機メッセージを表示するが、この表示を行った時刻と編集部筐体が利用可能な状態になった時刻を記録しておく。
【００４５】
いずれかの編集部筐体が利用可能な状態になったら、ステップ９０１で算出した時間の差を落書き時間に追加しても良い。
【００４６】
また、記録されている待機メッセージを表示した時刻と第1及び第2の編集部筐体で予め規定されている落書き時間を比較し、すでに落書き時間が終了しているのにもかかわらず、それぞれの編集部筐体が利用できない場合には編集部筐体でのエラーとして係員を呼ぶためのメッセージを表示してもかまわない。
【００４７】
このように、図９に示す処理手順によると、編集部筐体（具体的には２又は６、３個以上の複数でも可）における現時点以前の使用経過をみて、直前に使用していなかった方の編集部筐体を使用しようとするものであり、現時点以後についても交互に編集部筐体を選択することとなるのである。なお、編集部筐体が２個の場合には交互選択となり、３個以上の場合には順番したがって順次選択されるように制御されるものである。
【００４８】
次に、図８に示すフローに翻って、ステップ８０８で利用者は編集する撮影画像を選択する（撮影した多数の撮影画像の中から編集に適した撮影画像を１つ又は複数選択する）。選択後、利用者はステップ８０７で選択された編集部筐体へ通路９Ａ又は９Ｂを通って移動し（図３を参照）、画像の落書きや背景合成などの編集処理を行なう（ステップ８０９）。ここで、落書き処理というのは、レタッチ処理、メイク処理及びスタンプ処理等を含む処理である。
【００４９】
落書き処理が終了すると印刷する際のレイアウト選択へ移行する。（ステップ８１０）レイアウト選択後、編集した画像をプリンタで印刷する（ステップ８１１）。利用者は編集部筐体の側面へ移動して印刷を待つ。印刷処理終了後（ステップ８１２）、オープニング画面（ステップ８０１）へ戻る。
【００５０】
以上説明したように、本発明の実施形態に係る画像プリント装置の趣旨は、利用者が撮影終了後、第１の編集装置で編集し、次の利用者が第２の編集装置で編集し、さらにその次の利用者は第１の編集装置で編集するというように、利用者が撮影後に使用する編集装置を交互に振り分け使用しようとするものである。
【００５１】
また、片方の編集装置（例えば、第２の編集装置）が故障した場合は、画像プリント装置の管理者により故障した編集装置（例えば、第２の編集装置）を全体のシステムから切り離して、保守・修理を実施し、この間、例えば第１の編集装置のみで編集処理を行い、保守・修理完了後にシステムに再接続し、再び第１と第２の編集装置を交互選択して使用できるようにする。この際、故障編集装置の切り離し、修理後の再接続については、管理者による設定操作でＰＣ２９に通知し、ＰＣ２９がこの通知にも基づいて管理制御することで、単独運転や交互運転を可能とすることができる。具体的には、交互選択を示す図９において、故障した場合に又は故障回復した場合に、ステップ９０２で管理者設定によって設置台数が１又は２になって図示の制御手順が続行されるのである。
【図面の簡単な説明】
【００５２】
【図１】本発明の実施形態に係る画像プリント装置の基本的構成を示す見取図である。
【図２】本発明の実施形態に係る画像プリント装置の基本的構成を示す内部の側面図である。
【図３】本発明の実施形態に係る画像プリント装置の基本的構成を示す内部の上面図である。
【図４】本発明の実施形態に係る画像プリント装置における本体部筐体の構成を示す見取図である。
【図５】本実施形態に係る画像プリント装置における本体部筐体の具体的構成を示す正面図である。
【図６】本実施形態に係る画像プリント装置における編集部筐体の具体的構成を示す正面図である。
【図７】本発明の実施形態に係る画像プリント装置の機能乃至動作を示す構成ブロック図である。
【図８】本発明の実施形態に係る画像プリント装置における撮影、撮影画像の編集、印刷の処理手順を示すフローチャートである。
【図９】本発明の実施形態に係る画像プリント装置における編集部筐体の選択に関する詳細な処理手順を示すフローチャートである。
【符号の説明】
【００５３】
１  本体部筐体
２，６  編集部筐体
３  床面
４  背面部筐体
５  通路
７  写真シール排出口
８  屋根部
９Ａ，９Ｂ，１０Ａ，１０Ｂ  通路
１１Ａ，１１Ｂ，１１Ｃ  ストロボ
１２Ａ，１２Ｂ，１２Ｃ，２５Ａ，２５Ｂ  ライト
１３  スイッチパネル
１４，２４Ａ，２４Ｂ  キャスター
１５  液晶モニタ
１６  タッチペン
１７，２６Ａ，２６Ｂ  スピーカ
１８  デジタルカメラ
１９，２７Ａ，２７Ｂ  タッチパネル付きディスプレイ
２０  課金装置
２１  ストロボ用電源
２２  プリンタ
２３  ＵＰＳ（無停電電源装置）
２８Ａ，２８Ｂ  タッチペン
２９  パーソナルコンピュータ
【図１】
2006222855.tif 000003
【図２】
2006222855.tif 000004
【図３】
2006222855.tif 000005
【図４】
2006222855.tif 000006
【図５】
2006222855.tif 000007
【図６】
2006222855.tif 000008
【図７】
2006222855.tif 000009
【図８】
2006222855.tif 000010
【図９】
2006222855.tif 000011